(57)【特許請求の範囲】
【請求項１】
外部の空気源から供給される加圧空気により膨張する空気袋体で足を圧迫してマッサージを行うエアマッサージ器であって、
脛部を圧迫する空気袋体を有する第１の部分と、第１の部分に足首部上方で切り離し可能に連結されて足首部から足先側を圧迫する空気袋体を有する第２の部分から構成され、
切り離された第１の部分と第２の部分は、それぞれ独立して使用可能で、且つ、第１の部分は、腕に装着して使用できるようにしたことを特徴とするエアマッサージ器。
【発明の詳細な説明】
【０００１】
【発明の属する技術分野】
本発明は、外部の空気供給源から供給される加圧空気によって膨張する空気袋体で構成され、空気袋体の膨張と収縮によって足のマッサージを行うエアマッサージ器に関し、特に、足のみでなく、腕のマッサージにも使用したり、機械式ローラーマッサージ器と併用できるエアマッサージ器に関する。
【０００２】
【従来の技術】
従来、足のマッサージを行うために用いられているマッサージ器においては、例えば、図４に示すようなエアマッサージ器が知られている。
この種のマッサージ器Ａ１は、複数の空気袋体Ａ２、Ａ３、Ａ４、Ａ５を縫合連結してブーツ状に形成されており、これらの空気袋体Ａ２、Ａ３、Ａ４、Ａ５は、マッサージ器Ａ１とは別に外部に設置される、図示しないエアポンプ等を備えた空気供給源からエアホースを介して加圧空気を供給することによって膨張し、また、これらの空気袋体Ａ２、Ａ３、Ａ４、Ａ５内部の空気を排出することによって収縮するように構成されている。
【０００３】
前記マッサージ器Ａ１を用いて足のマッサージを行う場合には、空気袋体Ａ２、Ａ３、Ａ４に亘って設けられているファスナＡ６を開いてここから内部に足Ｆを差し込み、再びファスナＡ６を閉じてマッサージ器Ａ１を足に装着する。
なお、従来のこの種のマッサージ器には、前記ファスナＡ６の部分が縫合されて開かないようになっているものもあり、その場合には、直接マッサージ器内部に足を差し込んで装着する。
【０００４】
次いで、空気供給源から加圧された空気がエアホースを通してこれらの空気袋体Ａ２、Ａ３、Ａ４、Ａ５内に導入されると、空気袋体Ａ２、Ａ３、Ａ４、Ａ５がそれぞれ膨張して、このうち、空気袋体Ａ２は脛部を、空気袋体Ａ３は足首部を、空気袋体Ａ４は足の甲部を、そして、空気袋体Ａ５は足の裏部をそれぞれ圧迫する。
【０００５】
また、空気袋体Ａ２、Ａ３、Ａ４、Ａ５から空気を抜けば、これらは収縮して足の各部分は圧迫から解放される。したがって、これらの空気袋体Ａ２、Ａ３、Ａ４、Ａ５に対して加圧空気の導入と排出を交互に行うことによって足Ｆを揉みほぐすマッサージ効果が得られる。
【０００６】
【発明が解決しようとする課題】
前述した図４に示すような従来のエアマッサージ器は、足のマッサージ専用であり、腕のマッサージをするためには、腕用の別のマッサージ器を用いる必要があった。
【０００７】
また、足のマッサージに対しても、足先部分のみや脹ら脛部分のマッサージだけを行いたい場合にも、構造上ブーツのように、足先から脛までを覆う状態で装着しなければならず、部分的なマッサージだけを簡単に行うことができない問題があった。
【０００８】
さらに、エアマッサージ器を装着したままでは、足裏側の空気袋体の生地が厚いため、機械式のローラーマッサージ機に足を載せて足裏部をマッサージしてもマッサージ効果が得られず、エアマッサージ器で脹ら脛部分のマッサージをしながら、機械式のローラーマッサージ機を同時に使用することができなかった。
【０００９】
そこで、本発明は、前述したような従来技術の問題を解決し、腕のマッサージ器としても兼用でき、また、足先部分のみや脹ら脛部分のみの部分的なマッサージを簡単に行うことができ、さらに、足裏部をマッサージする機械式のローラーマッサージ機を同時に使用することができるエアマッサージ器を提供することを目的とする。
【００１０】
【課題を解決するための手段】
前記目的を達成するため、本発明のエアマッサージ器は、外部の空気源から供給される加圧空気により膨張する空気袋体で足を圧迫してマッサージを行うエアマッサージ器であって、脛部を圧迫する空気袋体を有する第１の部分と、第１の部分に足首部上方で切り離し可能に連結されて足首部から足先側を圧迫する空気袋体を有する第２の部分から構成されており、切り離された第１の部分と第２の部分は、それぞれ独立して使用可能で、且つ、第１の部分は、腕に装着して使用できるようにしたものである。
【００１１】
【発明の実施の形態】
本発明のエアマッサージ器は、通常は足のマッサージ器として用いるものであり、複数の空気袋体から構成されている。
これらの空気袋体は、外部の空気供給源から加圧空気を供給することによって膨脹して足の各部分を圧迫し、また、空気袋体内に導入された空気を排出することによって収縮して足への圧迫を解放し、このような膨脹収縮を繰り返すことによってマッサージ効果が得られる。
【００１２】
本発明のエアマッサージ器は、脛部を圧迫する空気袋体からなる第１の部分と、足の裏側、足の甲側、及び、踵から足首の部分をそれぞれ圧迫する空気袋体からなる第２の部分から構成されている。
【００１３】
前記第２の部分は、足首部の上方で第１の部分と着脱自在に構成されていて、具体的には、第１の部分を構成する空気袋体と第２の部分の足首側を圧迫する空気袋体との間がファスナやホック等を用いて着脱自在に連結されている。
【００１４】
エアマッサージ器を構成しているこれらの部分は、互いに分離した状態でも各々別々に空気供給源からエアホースを介して加圧空気の供給が行えるようになっていて、第２の部分と分離した第１の部分を前腕や上腕に装着して腕のマッサージを行うことができる。
【００１５】
また、２つの部分に分離した前記マッサージ器の第１の部分を腕に装着し、第２の部分を足に装着することによって、腕と足のマッサージを同時に行うようにしてもよく、また、第１の部分のみ、または、第２の部分のみを使用して、脹ら脛部や足首部分から足先部にかけての部分的なマッサージを行うようにしてもよい。
【００１６】
さらに、第２の部分と分離した第１の部分だけを脛部に装着して、脹ら脛のマッサージしながら、足を機械式のローラーマッサージ機に載せて足裏部のマッサージを行うようにしてもよい。
【００１７】
【実施例】
以下、図面に基づいて、本発明の一実施例を説明する。図１は本発明のエアマッサージ器（以下、単にマッサージ器という。）の一実施例を示す側面図であって、本発明のマッサージ器１は通常は同図（ａ）のように、第１の部分１Ａと第２の部分１ＢとがファスナＴで連結されて、全体としてブーツ型に形成されている。
そして、前記ファスナＴを開けることによって、（ｂ）に示すように第１の部分１Ａと第２の部分１Ｂに切り離すことができるようになっている。
【００１８】
図２は、マッサージ器１を構成している複数の空気袋体の平面展開図であって、
マッサージ器１は、足の裏側を圧迫するための足裏側空気袋体２、足の甲側全体を包むように圧迫するための足甲側空気袋体３、踵を包み込むように足首部分を圧迫するための足首側空気袋体４、及び、脛部を圧迫するための脛側空気袋体５を有している。
【００１９】
このうち、足裏側空気袋体２と足甲側空気袋体３とは折り返し部Ｘで折り返されて内部が連続するように一体に形成されており、足首側空気袋体４の足先側の部分に足甲側空気袋体３が上方から覆うように重ねて配置されている。
【００２０】
これらの空気袋体２、３、４、５は、屈曲と伸縮が自在な、塩化ビニールやポリウレタン等の生地を用いている、足に接触する内層と、ナイロン等の生地に気密性を持たせるために塩化ビニールやポリウレタン等の生地を接着加工した、屈曲自在で伸縮性を持たない外層から構成されており、内層と外層の周縁部どうしが溶着されて、内部に加圧空気が導入される空間が形成されている。
【００２１】
本実施例においては、内層には、足への密着性を高めるために伸縮性のある素材を用いているが、強度を高めるために、内層には外層と同様な、伸縮性を有しない生地を用いてもよい。
【００２２】
マッサージ器１は、足首側空気袋体４の両側の縫着部４ａ、４ｂがそれぞれ足裏側空気袋体２の左右両側の縫着部２ａ、２ｂの踵寄りの部分と縫合され、また、足甲側空気袋体３の左右両側の縫着部３ａ、３ｂがそれぞれ前記縫着部２ａ、２ｂのほぼ全長に亘って縫合され、さらに、足首側空気袋体４の両側の湾曲した縫着部４ｃ、４ｄどうしが縫合されている。
なお、縫着部２ａ、２ｂ、３ａ、３ｂ、４ａ、４ｂ、４ｃ、４ｄは、内層と外層とが溶着されているそれぞれの空気袋体２、３、４、の周縁部に形成されている。
【００２３】
一方、脛側空気袋体５の脛部前側を覆う部分は、足Ｆの出し入れを容易にするためのファスナＴ１が設けられて左右に開くことができるようになっている。
また、前述したファスナＴは、足首側空気袋体４の上縁部と脛側空気袋体５の下縁部との間を着脱自在に連結している。
なお、ファスナＴ１で連結されている部分は、縫合等により分離できないように結合してあってもよい。
【００２４】
足裏側空気袋体２と足甲側空気袋体３は、足甲側空気袋体３側に設けられた共通の給排気口６から加圧空気を供給あるいは排出するようにしている。また、足首側空気袋体４と脛側空気袋体５には、それぞれ個別に給排気口７、８が設けられている。
【００２５】
これらの給排気口６、７、８には、それぞれ図示していないエアポンプ等を有する空気供給源との間をエアホースで連結する。前記空気供給源には加圧された空気をこれらの給排気口６、７、８へ供給し、また、これらの給排気口６、７、８から空気を外部に排気可能な切換弁を備えている周知の構造のものを用いることができる。
【００２６】
次に、図３は、前述したエアマッサージ器１の使用形態を示す図であって、同図（ａ）は、分離した第１の部分１Ａを前腕に装着して腕のマッサージを行うと同時に、第２の部分１Ｂを足に装着して足首から足先までの部分をマッサージしている状態を示すものである。
【００２７】
第１の部分１Ａを構成している脛側空気袋体５へは、エアホース９を介して図示していない空気供給源から加圧空気が供給され、また、第２の部分１Ｂを構成している足裏側空気袋体２、足甲側空気袋体３、及び、足首側空気袋体４へは、エアホース１０とエアホース１１を介して前記空気供給源から加圧空気が供給されるようになっている。
【００２８】
また、図３（ｂ）は第１の部分１Ａだけを単独で脛部に装着して脹ら脛のマッサージを行う使用形態を示している。この場合には、同図に示すように、足Ｆを機械式ローラーマッサージ機Ｒに載せて足裏部のマッサージを同時に行うことができる。
【００２９】
前述した実施例においては、図２に示すように足裏側空気袋体２と足甲側空気袋体３を足先側の折り返し部Ｘで連続して一体にし、共通の給排気口６から加圧空気を出し入れしているが、これらの空気袋体を別々に形成して、それぞれに給排気口を設けてもよい。
【００３０】
【発明の効果】
前述したように、本発明のエアマッサージ器によれは、脛部を圧迫する空気袋体と有する第１の部分と、足首部から足先側を圧迫する空気袋体を有す第２の部分とを着脱自在にし、第２の部分と分離した第１の部分を前腕や上腕に装着して腕のマッサージに用いることができ、足と腕の兼用のマッサージ器として使用できる。
【００３１】
また、２つに分離したマッサージ器の第１の部分を腕に装着し、第２の部分を足に装着することによって、腕と足を同時にマッサージを行うこともでき、さらに、第１の部分のみを使用して脹ら脛のマッサージを行ったり、第２の部分のみを使用して足先部のマッサージを行うことができ、手軽に部分的なマッサージを行うことができる。
【００３２】
また、第２の部分と分離した第１の部分だけを脛部に装着して、脹ら脛のマッサージしながら、機械式のローラーマッサージ機に足を載せて足裏部のマッサージを行うことができる。
【図面の簡単な説明】
【図１】  本発明のエアマッサージ器の一実施例を示す側面図であり、（ａ）は第１の部分と第２の部分とを一体に連結した状態、（ｂ）は第１の部分から第２の部分を分離した状態をそれぞれ示す。
【図２】  図１に示すエアマッサージ器を構成する空気袋体の平面展開図である。
【図３】  本発明のエアマッサージ器の使用形態を示す図であって、同図（ａ）は、分離した第１の部分と第２の部分をそれぞれ足と腕のマッサージに用いている状態、（ｂ）は第２の部分で脛部のマッサージに用い、機械式ローラーマッサージ器を足裏部のマッサージに用いている状態をそれぞれ示す。
【図４】  従来のエアマッサージ器の一例を示す側面図である。
【符号の説明】
１    エアマッサージ器
２    足裏側空気袋体
３    足甲側空気袋体
４    足首側空気袋体
５    脛側空気袋体
６、７、８    給排気口
１Ａ    第１の部分
１Ｂ    第２の部分
２ａ、３ａ、３ｂ、３ｃ、４ａ、４ｂ、４ｃ、４ｄ    縫着部
９、１０、１１    エアホース
【図１】
0004373550.tif 000002
【図２】
0004373550.tif 000003
【図３】
0004373550.tif 000004
【図４】
0004373550.tif 000005